(57)【要約】  【課題】  小物若しくは玩具として利用できるプラスチック気泡性シートを提供すること。商品包装の際の緩衝材としての機能を持ちつつ商品イメージに配慮したプラスチック気泡性シートを提供すること。  【解決手段】  複数の凸部１１を有した上層プラスチックシート１と、芳香成分２１が練り込まれた中層プラスチックシート２と、平坦な下層プラスチックシート３とが圧着され、前記凸部１１の内側１２に気体が封入されたプラスチック気泡性シートＡを提供する。上記に加えて、本考案に係るプラスチック気泡性シートＡを、上層プラスチックシート１を透明又は半透明にし、中層プラスチックシート２の表面（上面２２若しくは下面２３）に所定の図柄を印刷した構成にしてもよい。上記プラスチック気泡性シートＡは、小物若しくは玩具として利用できる。また、商品包装の際の緩衝材として用いる場合には、その商品のイメージを向上させることができる。  【選択図】  図１
0003110566.tif 000002
【実用新案登録請求の範囲】
【請求項１】
複数の凸部を有した上層プラスチックシートと、
芳香成分が練り込まれた中層プラスチックシートと、
平坦な下層プラスチックシートと、
が圧着され、前記凸部の内側に気体が封入されたプラスチック気泡性シート。
【請求項２】
複数の凸部を有した透明又は半透明の上層プラスチックシートと、
芳香成分が練り込まれ、表面に所定の図柄が印刷された中層プラスチックシートと、
平坦な下層プラスチックシートと、
が圧着され、前記凸部の内側に気体が封入されたプラスチック気泡性シート。
【請求項３】
複数の凸部を有した透明又は半透明の上層プラスチックシートと、
芳香成分を附香させたケイ酸カルシウムが練り込まれ、表面に所定の図柄が印刷された中層プラスチックシートと、
平坦な下層プラスチックシートと、
が圧着され、前記凸部の内側に気体が封入されたプラスチック気泡性シート。
【請求項４】
複数の凸部を有した透明又は半透明の上層プラスチックシートと、
所定の花の香りを持つ芳香成分を附香させたケイ酸カルシウムが練り込まれ、表面に前記花の図柄が印刷された中層プラスチックシートと、
平坦な下層プラスチックシートと、
が圧着され、前記凸部の内側に気体が封入されたプラスチック気泡性シート。
【考案の詳細な説明】
【技術分野】
【０００１】
本考案は、芳香成分が練り込まれたプラスチック気泡性シートに関する。
【背景技術】
【０００２】
従来、商品包装などの際に、緩衝材として、プラスチック気泡性シート若しくはエアキャップシート（以下、本考案において「プラスチック気泡性シート」とする。）が広く利用されている。
【０００３】
プラスチック気泡性シートは、複数の凸部を有した上層プラスチックシートと平坦な下層プラスチックシートとを溶融・圧着などし、前記凸部の内側に気体を封入したシートであり、気体を封入した部分がクッション性を有している。従って、例えば、商品をプラスチック気泡性シートで包装した場合、クッション性により、その商品を外からの衝撃から守ることができるため、緩衝材として広く利用されている。
【０００４】
また、プラスチック気泡性シートは、凸部の手触り感や凸部を破裂させる感覚が良好であるため、包装した商品の開封後にも、小物若しくは玩具として多くの人に親しまれている。
【０００５】
なお、本考案に関連する先行文献としては、次の文献がある。特許文献１には、芳香成分が封入されたプラスチック気泡性シートが、特許文献２には、鮮度保持・消臭フィルムをプラスチックに練り込んだプラスチック気泡性シートが、特許文献３には、プラスチック気泡性シートの製造方法の一例が、それぞれ記載されている。
【特許文献１】特開平７−１７８８４８号公報
【特許文献２】特開２００１−２１９９６９号公報
【特許文献３】特開２００２−３６１７２５号公報
【考案の開示】
【考案が解決しようとする課題】
【０００６】
従来のプラスチック気泡性シートは、緩衝材としての機能に重点が置かれていたため、小物若しくは玩具として利用するための改良が不充分であった。
【０００７】
また、商品形態や需要者の好みの多様化に伴い、商品自体だけでなく、商品包装に用いる部材（プラスチック気泡性シートなど）についても、商品イメージに配慮したものを採用したいという需要が高まりつつある。
【０００８】
そこで、本考案は、小物若しくは玩具として利用できるプラスチック気泡性シートを提供すること、及び、商品包装の際の緩衝材としての機能を持ちつつ商品イメージに配慮したプラスチック気泡性シートを提供すること、を主な目的とする。
【課題を解決するための手段】
【０００９】
本考案では、複数の凸部を有した上層プラスチックシートと、芳香成分が練り込まれた中層プラスチックシートと、平坦な下層プラスチックシートとが圧着され、前記凸部の内側に気体が封入されたプラスチック気泡性シートを提供する。
【００１０】
プラスチック気泡性シートに芳香成分を封入する場合、製造段階において芳香成分が拡散しやすいため、芳香成分を高濃度でプラスチック気泡性シートに封入することが難しかった。それに対し、本考案では、中層プラスチックシートを形成し、その中に予め芳香成分を練り込んでおくことにより、プラスチック気泡性シートに芳香成分を高濃度で封入することができ、また、芳香成分をプラスチック気泡性シートに長期間保持させることができる。
【００１１】
本考案に係るプラスチック気泡性シートは、凸部の手触り感や凸部を破裂させる感覚を楽しむことができることに加えて、凸部を破裂させた際に、香りも楽しむことができるため、小物若しくは玩具として楽しむことができる。
【００１２】
また、例えば、プラスチック気泡性シートを商品包装の際の緩衝材として用いる場合にも、その商品の商品イメージに配慮した香りの種類を用いることにより、その商品自体のイメージを向上させることができる。
【００１３】
上記に加えて、本考案に係るプラスチック気泡性シートを、上層プラスチックシートを透明又は半透明にし（シートに色がついている場合を含む）、中層プラスチックシートの表面（上面若しくは下面）に所定の図柄を印刷した構成にしてもよい。また、上層プラスチックシート及び中層プラスチックシートを透明又は半透明にし（シートに色がついている場合を含む）、下層プラスチックシートの上面に所定の図柄を印刷した構成にしてもよい。
【００１４】
それにより、前記と同様、小物若しくは玩具としての利用価値を高めることができる。また、プラスチック気泡性シートを商品包装の際の緩衝材として用いる場合にも、商品イメージに配慮した図柄を採用することにより、前記と同様、その商品自体のイメージを向上させることができる。
【００１５】
即ち、例えば、御土産品・特産品などをプラスチック気泡性シートで包装する場合、芳香成分を、その土地を連想させる花の香りにし、中層プラスチックシートや下層プラスチックシートに、その花やその土地の景勝地などに関するイラストや写真などを印刷にすることにより、その商品のイメージを向上させることができる。
【００１６】
その他、印刷した図柄を、上層プラスチックシートと中層プラスチックシート、若しくは中層プラスチックシートと下層プラスチックシートで挟み込む構成にすることにより、図柄を付した部分が両シートにより保護され、図柄を長時間保持できるという利点がある。
【考案の効果】
【００１７】
本考案に係るプラスチック気泡性シートは、小物若しくは玩具として利用できる。また、商品包装の際の緩衝材として用いる場合には、その商品のイメージを向上させることができる。
【考案を実施するための最良の形態】
【００１８】
以下、本考案を実施するための好適な形態について、添付図面を参照にしながら説明する。
【００１９】
図１は、本考案に係るプラスチック気泡性シートの構成の一例を示す断面模式図である。
【００２０】
図１中のプラスチック気泡性シートＡは、複数の凸部を有した上層プラスチックシート１、芳香成分が練り込まれた中層プラスチックシート２、平坦な下層プラスチックシート３の三層からなる。上層プラスチックシート１の凸部１１の内側１２には、気体（空気）が封入されている。
【００２１】
各プラスチックシート１、２、３は、従来のプラスチック気泡性シートに用いられているプラスチック樹脂を適用できる。即ち、例えば、ポリオレフィン類（ＰＰ（ポリプロピレン）、ＬＤＰＥ（低密度ポリエチレン）、エチレン−α−オレフィン共重合体、ＨＤＰＥ（高密度ポリエチレン）、ＥＶＡ（エチレン・酢酸ビニル共重合体）など）、ポリアミド類、ポリエステル類、生分解性ポリマー（ポリ乳酸、ポリカプロラクトンなどの脂肪族ポリエステル）などを適用できる。
【００２２】
中層プラスチックシート２に練りこまれた芳香成分２１は、既知の芳香成分を用いることができる。例えば、スズラン、ライラック、ラベンダーなどの花の香りを持つ芳香成分２１を適用しても良い。また、芳香成分２１は、ケイ酸カルシウムなど所定の担体に附香したものを中層プラスチックシート２に練りこんでも良い。その場合、芳香成分を高濃度で練りこむことができ、また、芳香成分のロスを減らすことができるという利点がある。
【００２３】
中層プラスチックシート２の表面（上面２２若しくは下面２３）には、所定の図柄を印刷してもよい。その場合、上層プラスチックシート１を透明又は半透明にする必要がある。但し、透明又は半透明であれば、色が付加されていてもよい。なお、中層プラスチックシート２及び下層プラスチックシート３は、特に透明又は半透明にする必要はなく、色及び透明性は任意である。
【００２４】
また、下層プラスチックシート３の上面３１に所定の図柄を印刷してもよい。その場合は、上層プラスチックシート１及び中層プラスチックシート２を透明又は半透明にする必要がある。
【００２５】
図２は、本発明に係るプラスチック気泡性シートの上面模式図である。
【００２６】
本発明に係るプラスチック気泡性シートＡを上から見た場合、シートＡ上には、複数の凸部１１が設けられている。また、図１中の中層プラスチックシート２の表面（上面２２若しくは下面２３）又は下層プラスチックシート３の上面３１に所定の図柄が施されている場合、図２に示すように、その図柄２４を上から見ることができる。なお、図柄及び図柄の配置、個数は任意であり、特に限定されない。
【００２７】
図３は、本発明に係るプラスチック気泡性シートの凸部を破裂させた場合を示した断面模式図である。
【００２８】
プラスチック気泡性シートＡの中層プラスチックシート２に芳香成分２１を練り込んだ場合、芳香成分２１の一部は、上層プラスチックシート１の凸部１１の内測１２に放出される（符号２１’）。従って、上層プラスチックシート１の凸部１１の内側１２には、芳香成分２１’が高濃度に封入された状態となる。
【００２９】
従って、図３に示すように、上層プラスチックシート１の凸部１１を破裂させた場合、芳香成分２１’がシートＡの外側に放出される。
【００３０】
図４は、本発明に係るプラスチック気泡性シートの製造装置の一例を示す模式図である。
【００３１】
図４に示す製造装置Ｂでは、ＴダイＢ１から押し出されたフィルム１’（上層プラスチックシートを形成するフィルム）と、ＴダイＢ２から押し出されたフィルム２’（中層プラスチックシートを形成するフィルム）と、ＴダイＢ３から押し出されたフィルム３’（下層プラスチックシートを形成するフィルム）と、を圧着ロールＢ４で圧着し、プラスチック気泡性シートＡを製造する。
【００３２】
上層プラスチックシートを形成するフィルム１’は、ＴダイＢ１から押し出された後、成形ロールＢ５で凸部１１を形成し、圧着ロールＢ４で圧着される。成形ロールＢ５は、フィルム１’を真空吸引しながら回転し、順次、上層プラスチックシートの凸部１１を形成する。
【００３３】
中層プラスチックシートを形成するフィルム２’は、ＴダイＢ２から押し出された後、圧着ロールＢ４に送られ、圧着される。ＴダイＢ２には、プラスッチック材料に芳香成分を練り込んだものを装填しておく。芳香成分は、ケイ酸カルシウムなど所定の担体に附香させた後、プラスチック材料に練りこんでもよい。それにより、芳香成分を安定的かつ高濃度に、プラスチック材料に練りこむことができる。
【００３４】
また、フィルム２’には、印刷手段Ｂ６を用いて、所定の図柄をフィルム２’上に印刷してもよい（矢印４）。印刷手段Ｂ６は、インクジェットなど、既知の方法を用いることができる。図４は、フィルム２’の上面に印刷を施す場合の構成例であるが、フィルム２’の下面若しくはフィルム３’の上面に所定の図柄を印刷するように、印刷手段Ｂ６の構成位置を変更してもよい。
【００３５】
符号Ｂ７及びＢ８は、各フィルム２’、３’を圧着ロールＢ４に送るガイドロールであり、任意である。符号Ｂ９は、圧着したプラスチック気泡性シートＡを成形ロールＢ５から剥離させる剥離ロールである。
【００３６】
なお、本発明に係るプラスチック気泡性シートＡの製造装置は、上記のような装置構成に限定されない。例えば、フィルム２’若しくはフィルム３’に所定の図柄を印刷した後に、まず、フィルム２’とフィルム３’を圧着し、次に、フィルム１’を圧着するような装置構成にしてもよい。
【産業上の利用可能性】
【００３７】
本考案に係るプラスチック気泡性シートは、小物若しくは玩具して利用することができる。また、本考案に係るプラスチック気泡性シートは、商品包装の際に用いる緩衝材として利用できる。
【００３８】
本考案に係るプラスチック気泡性シートは、一般の商品の包装にも有用なほか、御土産品・特産品などの包装にも有用である。例えば、北海道の土産品・特産品などを包装する場合、北海道を連想させるスズラン、ライラック、ラベンダーなどを香りの芳香成分をプラスチック気泡性シート内に封入し、それらの花若しくは北海道の景観などを図柄としてプラスチック気泡性シートに印刷することにより、土産品・特産品の商品イメージを向上させることができる。
【図面の簡単な説明】
【００３９】
【図１】本考案に係るプラスチック気泡性シートの断面模式図。
【図２】本考案に係るプラスチック気泡性シートの上面模式図。
【図３】本考案に係るプラスチック気泡性シートの凸部を破裂させた場合を示した断面模式図。
【図４】本考案に係るプラスチック気泡性シートの装置構成の一例を示す模式図。
【符号の説明】
【００４０】
１    上層プラスチックシート
２    中層プラスチックシート
２１  芳香成分
２３  図柄
３    下層プラスチックシート
Ａ    プラスチック気泡性シート
【図１】
0003110566.tif 000003
【図２】
0003110566.tif 000004
【図３】
0003110566.tif 000005
【図４】
0003110566.tif 000006